(57)【要約】      （修正有）【課題】簡易小尿器を容易に持ち運び出来、かつ簡易小尿器を安定させた状態で使用することが出来る簡易小尿器携帯支持体及び収納函体兼便座を提供する。【解決手段】採尿器１０１と蓄尿容器２０１と両者を繋ぐホース３０１を有する簡易小尿器を携帯する簡易小尿器携帯支持体１であって、１端と他端を有する長方形の板の１端と他端間で短手方向に伸延する第１の折り曲げ部と、長方形の板の１端と第１の折り曲げ部間で短手方向に伸延する第２の折り曲げ部とを形成して、長方形を、第１面、第２と第３面に区分し、第３面には１以上の突起状のストッパー２６を立設し、第１の折り曲げ部と第２の折り曲げ部を折り曲げて、前記他端を突起状のストッパーにより支持して、第３面の突起状のストッパー２６と第２の折り曲げ部間の平面と、前記第１面と前記第２面とからなる中空三角柱を形成し、採尿器１０１と蓄尿容器２０１とを支持する。【選択図】図１
2011200638.tif 000002
【特許請求の範囲】
【請求項１】
上端に採尿口を、下端に排尿口と側面に取っ手を備える採尿器と、
上端に受尿口を備える蓄尿容器と、
前記採尿器の前記排尿口と前記蓄尿容器の受尿口とを密閉して繋ぐホースと、
を有する簡易小尿器を携帯し得る簡易小尿器携帯支持体であって、
１端と他端を有する長方形の板の該１端と該他端間で短手方向に伸延する第１の折り曲げ部と、該長方形の板の該１端と該第１の折り曲げ部間で短手方向に伸延する第２の折り曲げ部とを形成して、
前記長方形を、前記第１の折り曲げ部と前記他端で区切られる第１面と、該第１の折り曲げ部と前記第２の折り曲げ部とで区切られる第２面と、該第２の折り曲げ部と前記１端で区切られ、面積が該第１面以下である第３面とに区分し、
前記第３面には１以上の突起状のストッパーを立設し、
前記第１の折り曲げ部と第２の折り曲げ部を折り曲げて、前記他端を前記突起状のストッパーにより支持して、前記第３面の突起状のストッパーと前記第２の折り曲げ部間の平面と、前記第１面と前記第２面とからなる中空三角柱を形成し、
前記第２面に前記採尿口を上方にして前記採尿器の取っ手を固定する２本の支持棒と、前記第１面に前記受尿口を固定し得るＵ字型支持具を含む簡易小尿器携帯支持体。
【請求項２】
前記第１面または前記第２面の裏側に、取っ手を備える蓄尿容器の取っ手を掛ける、水平方向に回転可能なＵ字型フックを設けた、請求項１に記載の簡易小尿器携帯支持体。
【請求項３】
前記Ｕ字型フックを前記第１面または前記第２面の裏側に密接させ、
前記第３面を、前記第１面と前記第２面の間に挟み込んで、略平面状に折り畳み可能な、請求項１または２に記載の簡易小尿器携帯支持体。
【請求項４】
前記蓄尿容器は、前記ホースと着脱自在な、請求項１に記載の簡易小尿器携帯支持体。
【請求項５】
前記蓄尿容器は、上部に空気孔設けた、請求項４に記載の簡易小尿器携帯支持体。
【請求項６】
上蓋、下面、前面壁、後面壁、左壁、右壁から構成され、
該左右壁の上端部に便座を、該前後面壁に設置手段を有する函体であって、
少なくとも左右内壁、後面内壁、相互に接続した底面および尿流し面、および、前記設置手段に設置するための被設置手段を含み、該底面に排便口を有する尿流し台を、該設置手段及び該被設置手段により着脱自在に装着可能であり、
前記尿流し台を装着した状態において、請求項１乃至５のいずれか１つに記載の簡易小尿器携帯支持体を収納可能とした収納函体兼便座。
【請求項７】
前記尿流し台の前記左右内壁及び後面内壁が、それぞれ前記左右壁及び前記後面壁に対向し、前記設置手段に前記尿流し台の前記被設置手段を設置して、前記尿流し台を装着した状態において、
前記後面壁は、前記尿流し台の底面の排便口と前記函体の下面との間に設置する蓄便容器を出し入れ可能な後面扉を有する請求項６に記載の収納函体兼便座。
【請求項８】
前記設置手段は前記前面壁と前記後面壁間に連結された左右のレールであり、
前記被設置手段は前記左右内壁のそれぞれ上端に設けられて、前記左右のレールに係止される左右のレール受けである、
請求項６または７に記載の収納函体兼便座。
【請求項９】
前記左右壁の間隔は、１５ｃｍ〜３０ｃｍである請求項６乃至８のいずれか１つに記載の収納函体兼便座。
【請求項１０】
前記前面壁と前記後面壁の間隔は、３０ｃｍ〜５０ｃｍである請求項６乃至９のいずれか１つに記載の収納函体兼便座。
【請求項１１】
前記前面壁に収納可能なハンドルを設けた請求項６乃至１０のいずれか１つに記載の収納函体兼便座。
【請求項１２】
カーテンレールを設けた請求項６乃至１１のいずれか１つに記載の収納函体兼便座。
【発明の詳細な説明】
【技術分野】
【０００１】
本発明は、簡易な携帯用便器を用意に持ち運び可能で、小尿を容易とする簡易小尿用便器携帯支持体及びこれを収納可能な収納函体兼便座に関する。
【背景技術】
【０００２】
近年年配の人々の全人口に占める割合が増加し、介護を必要とする方々の人口は増加の一方である。介護士を一日中雇うには相当の費用がかかり、特に尿などのお世話は介護士としても余り気持ちの良いものではなく、介護を受ける方にとってもプライドを傷つけられ、気分を害する場合も多いと考えられる。
【０００３】
また、高速道路の使用料金も格安となり、道路の渋滞もただならない。トイレのあるバス等はともかく、通常トイレのない車が殆どであり、車中で飲み物を飲んだ場合、大人・子供に拘わらず小尿の心配が付きものとなり、せっかくのレジャー気分も興がそがれてしまう。
【０００４】
このような問題を解決するため、過去いくつもの携帯小尿用便器が発明されている。
【０００５】
特許文献１には、「男女問わず自動車内でも容易に排尿ができ、尿漏れや悪臭のしない安価で使い勝手の良い携帯トイレ」が公開されているが、コンパクト性に欠け、持ち運びが困難である。
【０００６】
また、特許文献２には、「上端側に採尿口を、下端側に排尿口を備えた採尿器と、貯尿用容器の口部を装着する装着口を備え、ここに装着した貯尿用容器を、その口部を上方にして傾斜状態、又は鉛直状態に保持する保持台と、一端が前記排尿口に接続され、他端が著尿用容器の装着口に接続されるホースとを備える。」が公開されている。この発明は器具自身コンパクトで優れた発明と思料するものの、貯尿用容器にペットボトルを用いて固定しないため、例えばホースのねじれ等で貯尿用容器が安定せず、使用者が放尿し易いように採尿器を作動するだけで貯尿用容器が転がってしまったり、思わぬ場所へ移動してしまうという問題が否めなかった。
【０００７】
【特許文献１】特開２００５−５２６０８号公報
【特許文献２】特開２００１−１４９２６５号公報
【発明の概要】
【発明が解決しようとする課題】
【０００８】
そこで本発明は、簡易小尿器を容易に持ち運び出来、かつ簡易小尿器を安定させた状態で使用することが出来る簡易小尿器携帯支持体、及び、簡易小尿器と簡易小尿器携帯支持体等一度に収納して持ち運び容易であり、それ自体便器として機能する収納函体兼便座を提供することを目的とする。
【課題を解決するための手段】
【０００９】
本発明に係る簡易小尿器携帯支持体は、上端に採尿口を、下端に排尿口と側面に取っ手を備える採尿器と、上端に受尿口を備える蓄尿容器と、前記採尿器の前記排尿口と前記蓄尿容器の受尿口とを密閉して繋ぐホースと、を有する簡易小尿器を携帯する簡易小尿器携帯支持体であって、１端と他端を有する長方形の板の該１端と該他端間で短手方向に伸延する第１の折り曲げ部と、該長方形の板の該１端と該第１の折り曲げ部間で短手方向に伸延する第２の折り曲げ部とを形成して、前記長方形を、前記第１の折り曲げ部と前記他端で区切られる第１面と、該第１の折り曲げ部と前記第２の折り曲げ部とで区切られる第２面と、該第２の折り曲げ部と前記１端で区切られ、面積が該第２面以下である第３面とに区分し、前記第3面には１以上の突起状のストッパーを立設し、前記第１の折り曲げ部と第２の折り曲げ部を折り曲げて、前記他端を前記突起状のストッパーにより支持して、前記第３面の突起状のストッパーと前記第２の折り曲げ部間の平面と、前記第１面と前記第２面とからなる中空三角柱を形成し、前記第２面に前記採尿口を上方にして前記採尿器の取っ手を固定する２本の支持棒と、前記第１面に前記受尿口を固定し得るＵ字型支持具を含む。
【００１０】
本発明に係る簡易小尿器携帯支持体は、前記第１面または前記第２面の裏側に、取っ手を備える蓄尿容器の取っ手を掛ける、水平方向に回転可能なＵ字型フックを設け得る。
【００１１】
本発明に係る簡易小尿器携帯支持体は、前記Ｕ字型フックを前記第１面または前記第２面の裏側に密接させ、前記第３面を、前記第１面と前記第２面の間に挟み込んで、略平面状に折り畳み可能である。
【００１２】
本発明に係る簡易小尿器携帯支持体は、前記蓄尿容器は、前記ホースと着脱自在とする。
【００１３】
本発明に係る簡易小尿器携帯支持体は、前記蓄尿容器は、上部に空気孔を設け得る。
【００１４】
本発明に係る収納函体兼便座は、上蓋、下面、前面壁、後面壁、左壁、右壁から構成され、該左右壁の上端部に便座を、該前後面壁に設置手段を有する函体であって、少なくとも左右内壁、後面内壁、相互に接続した底面および尿流し面、および、前記設置手段に設置するための被設置手段を含み、該底面に排便口を有する尿流し台を、該設置手段及び該被設置手段により着脱自在に装着可能であり、
前記尿流し台を装着した状態において、上記簡易小尿器携帯支持体を収納可能とした。
【００１５】
本発明に係る収納函体兼便座は、前記尿流し台の前記左右内壁及び後面内壁が、それぞれ前記左右壁及び前記後面壁に対向し、前記設置手段に前記尿流し台の前記被設置手段を設置して、前記尿流し台を装着した状態において、前記後面壁は、前記尿流し台の底面の排便口と前記函体の下面との間に設置する蓄便容器を出し入れ可能な後面扉を有し得る。
【００１６】
本発明に係る収納函体兼便座は、前記設置手段は前記前面壁と前記後面壁間に連結された左右のレールであり、前記被設置手段は前記左右内壁のそれぞれ上端に設けられて、前記左右のレールに係止される左右のレール受けであり得る。
【００１７】
本発明に係る収納函体兼便座は、前記左右壁の間隔は、１５ｃｍ〜３０ｃｍであり得る。
【００１８】
本発明に係る収納函体兼便座は、前記前面壁と前記後面壁の間隔は、３０ｃｍ〜５０ｃｍであり得る。
【００１９】
本発明に係る収納函体兼便座は、前記前面壁に収納可能なハンドルを設けてもよい。
【００２０】
本発明に係る収納函体兼便座は、カーテンレールを設けてもよい。
【発明の効果】
【００２１】
本発明に係る簡易小尿器携帯支持体は、採尿器と蓄尿容器とを上記第２面に設けた２本の支持棒と、第１面に設けたＵ字型支持具とにより、安定に保持することが出来る。また、上記第１面または前記第２面の裏側に設けたＵ字型支持具に取っ手を儲けた蓄尿容器を掛けて使用することも出来る。
【００２２】
また、本発明の簡易小尿器携帯支持体は、面積が第２面以下である第３面とに区分したため、上記Ｕ字型フックを上記第１面または上記第２面の裏側に密接させ、上記第３面を、上記第１面と前記第２面の間に挟み込んで、平面状に折り畳み可能であり、コンパクトに持ち運ぶことが容易である。この場合、採尿器と蓄尿容器とを上記第２面と第１面に保持して持ち運ぶことも可能であり、これら器具は着脱自在であるので、これらを外して板状の簡易小尿器携帯支持体のみを容易に運ぶことも出来る。
【００２３】
更に上記蓄尿容器は、上部に空気孔を設け得るので、蓄尿容器に尿が溢れることなく、スムーズに尿を溜めることが出来る。上述のようにこの蓄尿容器は容易に取り外し可能で、溜まった尿を容易にトイレ等に捨てるなどの処理が可能である。
【００２４】
また、本発明に係る収納函体兼便座は、それ自体が便座となり得るため、女性でもベッド脇等に置いた収納函体兼便座に座って排尿できると共に、尿流し台を内部に設置して便座に腰掛けて大便を排泄することもできる。糞尿は蓄便容器に溜めて、しかるべき場所に廃棄可能である。
【００２５】
さらに、本発明に係る収納函体兼便座は、上記簡易小尿器携帯支持体、採尿器、蓄尿容器、蓄便容器、尿流し台、ティッシュ入れ等を一度に収納し、持ち運ぶことができる。したがって、この収納された収納函体兼便座を持ち運ぶことにより、男女問わずいつでも便尿の心配をすることなく、平穏に移動したり、静養したりすることができる。
【図面の簡単な説明】
【００２６】
【図１】簡易小尿器とティッシュ入れを携帯した本発明に係る簡易小尿器携帯支持体の斜視図。
【図２】（ａ）採尿器の平面図、（ｂ）採尿器の側面図。
【図３】蓄尿容器の側面図。
【図４】簡易小尿器の全体図。
【図５】本発明に係る簡易小尿器携帯支持体の展開図。
【図６】本発明に係る簡易小尿器携帯支持体の斜視図。
【図７】本発明に係る簡易小尿器携帯支持体の平面状の折り畳み図。
【図８】本発明に係る簡易小尿器携帯支持体の中空三角形状の折り畳み図。
【図９】（ａ)本発明に係る収納函体兼便座および尿流し台の斜視図、（ｂ) 尿流し台を設置した本発明に係る収納函体兼便座の斜視図。
【図１０】（ａ)本発明に係る収納函体兼便座に設置する尿流し台の斜視図、（ｂ) 本発明に係る収納函体兼便座に設置する尿流し台の断面図。
【図１１】本発明に係る収納函体兼便座の斜視図。
【図１２】本発明に係る収納函体兼便座に本発明に係る簡易小尿器携帯支持体等を収納した状態を表す正面断面図。
【図１３】本発明に係るカーテンレールを取り付けた収納函体兼便座の斜視図。
【発明を実施するための形態】
【００２７】
以下、図面を参照しながら本発明に係る簡易小尿器携帯支持体の実施形態について説明する。なお、以下各図面を通して同一の構成要素には同一の符号を使用するものとする。
【００２８】
図１に示すように、本発明に係る簡易小尿器携帯支持体１は、上端に採尿口１１０を、下端に排尿口１１２と側面に取っ手１１４を備える採尿器１０１と、上端に受尿口２１０を備える蓄尿容器２０１と、採尿器１０１の排尿口１１２と蓄尿容器２０１の受尿口２１０とを密閉して繋ぐホース３０１と、を有する簡易小尿器１００１を携帯可能な簡易小尿器携帯支持体１である。
【００２９】
採尿器１０１は、例えば平面図２（ａ）、側面図２（ｂ）に示すように、上端に採尿口１１０を、下端にはホース３０１を密閉して繋ぐための排尿口１１２を有し、側面に取っ手１１４を備え、採尿口１１０を上にして採尿を行う。
【００３０】
また、蓄尿容器２０１は、図３に示すように、上端にホース３０１を密閉して繋ぐための受尿口２１０を備え、さらに、好ましくは側面に取っ手２１２を有する。ホース３０１は、例えば受尿口２１０を開閉自在に密閉可能なキャップ２１４に予め貫通させて固定しておくのが好ましい。さらに、小尿が蓄尿容器２０１内に入りやすいように、蓄尿容器２０１の上部に空気孔２１６を設けるのが好ましい。なお、蓄尿容器２０１内には予め少量の水を入れて、蓄尿容器２０１を安定させておくのが好ましい。
【００３１】
図４は簡易小尿器１００１の全体図である。採尿器１０１の排尿口１１２と蓄尿容器２０１の受尿口２１０は、ホース３０１により連結される。採尿口１１０からホース３０１を通して蓄尿容器２０１に溜まった小尿を捨てる場合は、上記のようにホース３０１が貫通したキャップ２１４を受尿口２１０から取り外して、蓄尿容器２０１のみをトイレに運ぶ事ができる。
【００３２】
簡易小尿器１００１の採尿器１０１、蓄尿容器２０１は、外から尿の流れが見えるように、透明のプラスチック容器等を用いるのが好ましいが、その材質は特に限定されない。又、採尿器１０１、蓄尿容器２０１を連結するホース３０１は、十分に曲がる透明なプラスチック製が好ましいが、特に材質は限定されない。
【００３３】
次に、本発明に係る簡易小尿器携帯支持体１は、まず、図５のような１端１２（１２’）と他端１４（１４’）を有する長方形の板１０の１端１２（１２’）と他端１４（１４’）間で短手方向に伸延する第１の折り曲げ部１６（１６’）と、長方形の板１０の１端１２（１２’）と第１の折り曲げ部１６（１２’）間で短手方向に伸延する第２の折り曲げ部１８（１８’）とを形成して、長方形の板１０を、第１の折り曲げ部１６（１６’）と他端１４（１４’）で区切られる第１面２０と、第１の折り曲げ部１６（１６’）と第２の折り曲げ部１８（１８’）で区切られる第２面２２と、第２の折り曲げ部１８（１８’）と１端１２（１２’）で区切られ、面積が第２面２２以下である第３面２４とに区分し、第３面２４には１以上の突起状のストッパー２６を立設する。
【００３４】
また、本発明の簡易小尿器携帯支持体１は、図６のように第１の折り曲げ部１６（１６’）と第２の折り曲げ部１８（１８’）を折り曲げて、他端１４（１４’）を突起状のストッパー２６により支持して、第３面２４の突起状のストッパー２６と第２の折り曲げ部１８（１８’）間の平面３０と、第１面２０と第２面２２とからなる中空三角柱２を形成する。２以上の突起状のストッパー２６を立設すれば、突起状のストッパー２６を適宜選択することにより、中空三角柱２の平面同士の成す角度を調節することができる。
【００３５】
上記中空三角柱２は、第２面２２に採尿口１１０を上方にして採尿器１０１の取っ手１１４を固定する２本の支持棒３２、３３と、第１面２０に蓄尿容器２０１を保持し得るＵ字型支持具３４を含む。支持棒３２、３３は採尿器１０１の取っ手１１４のサイズに合わせて、Ｕ字型支持具３４は蓄尿容器２０１の容器のサイズに合わせて、それぞれ形成される。
【００３６】
さらに、第１面２０または第２面２２の裏側に、取っ手２１２を備える蓄尿容器２０１の取っ手２１２を掛ける、水平方向に回転可能なＵ字型フック３６を設けてもよい。すなわち、蓄尿容器２０１を第１面２０または第２面２２の裏側にかけて用いることもできる。
【００３７】
以上に説明した本発明の簡易小尿器携帯支持体１に、上記簡易小尿器１００１を携帯させた図画が、上記図１である。図１では、採尿器１０１が第２面２２に２本の支持棒３２、３３により保持されており、蓄尿容器２０１が第１面２０または第２面２２の裏側にＵ字型フック３６で保持されている。蓄尿容器２０１は、第１面２０に受尿口２１０を固定し得るＵ字型支持具３４により保持されても良いが、図１のようにＵ字型支持具３４によりティッシュ入れ２００１等を保持しても良い。用を足した後、使用したティッシュ等を捨てることができる。
【００３８】
また、本発明の簡易小尿器携帯支持体１は、第３面２４の面積が第２面２２以下としたので、Ｕ字型フック３６を第１面２０または第２面２２の裏側に密接させ、第３面２４を、第１面２０と第２面２２の間に挟み込んで、図７のように、略平面状に折り畳んで用いることができる。コンパクト化できるので、持ち運びや片付けに便利であり、採尿器１０１、蓄尿容器２０１をそれぞれ支持棒３２、３３と、Ｕ字型支持具３４で保持したまま持ち運ぶこともできる。さらに、図８のように、第１面２０と第２面２２をわずかに開いて、チェーンなどのストッパー２８でこれら２面が更に開くのを防止すれば、コンパクトな中空三角柱の形状で床等に戴置しておくことができる。
【００３９】
なお、簡易小尿器携帯支持体１の各構成要素は、水に濡れない撥水性のある材料、例えばステンレス、撥水性のある木材、プラスチック等が好ましいが、特に限定されない。
【００４０】
次に、上述したコンパクト化した簡易小尿器携帯支持体１、採尿器１０１、蓄尿容器２０１およびティシュ箱等を一度に収納して持ち運び容易とするとともに、それ自体が便座となり得る収納函体兼便座について説明する。
【００４１】
上記のような本発明の簡易小尿器携帯支持体１は、男性であれば、簡易小尿器１００１の蓄尿容器２０１を地面に置いた簡易小尿器携帯支持体１に支持させ、例えばベッドに腰掛けながら採尿器１０１の採尿口１１０に容易に放尿することが出来る。しかし、女性の場合はこのようにベッドや椅子等に腰掛けながら放尿するのは困難である。あるいは、急を有する場合、男女問わず大便をすることができ、かつ上記簡易小尿器携帯支持体１や簡易小尿器１００１を収納できる携帯用便器があれば便利である。
【００４２】
そこで、図９（ａ）に示すように、本発明に係る簡易小尿器携帯支持体１を収納可能な収納函体兼便座４（以下、簡単のために「収納函体兼便座」という。）は、上蓋４０Ｕと、下面４０Ｄ、前面壁４６Ｆ、後面壁４６Ｂ、左壁４８Ｌ、右壁４８Ｒから構成され、左右壁４８Ｌ、４８Ｒの上端部に便座５０を、前後面壁４６Ｆ、４６Ｂに設置手段５６を有する函体であって、設置手段５６Ｌ、５６Ｒにより被設置手段７６を有する尿流し台６を着脱自在に装着可能であり、尿流し台６を装着した状態において、上記簡易小尿器携帯支持体１を収納可能とした。
【００４３】
図１０（ａ）に示すように、上記尿流し台６は、少なくとも左内壁６８Ｌ、右内壁６８Ｒ、後面内壁６６Ｂ、相互に接続した底面６０Ｄおよび尿流し面６０Ｄ’、および、上記設置手段５６に設置するための被設置手段７６を含み、底面６０Ｄに排便口８０を有している。図１０（ａ）のように、尿流し台６は前面内壁６６Ｆを有してもよく、尿流し面６０Ｄ’は、前面内壁６６Ｆから後面内壁６６Ｂ方向に、断面が図１０（ｂ）のように底面６０Ｄに向けて下り斜面となるように形成されるのが好ましい。
【００４４】
また、図９（ａ）のように、例えば収納函体兼便座４の設置手段５６は前面壁４６Ｆと後面壁４６Ｂ間に連結された左右のレール５６Ｌ、５６Ｒであり、尿流し台６の被設置手段７６は左右内壁６８Ｌ、６８Ｒのそれぞれ上端に設けられて、左右のレール５６Ｌ、５６Ｒに係止される左右のレール受け７６Ｌ、７６Ｒであってもよい。
【００４５】
尿流し台６の左右内壁６８Ｌ、右内壁６８Ｒ及び後面内壁６６Ｂが、それぞれ収納函体兼便座４の左右壁４８Ｌ、４８Ｒ及び後面壁４６Ｂに対向し、設置手段５６に尿流し台６の被設置手段７６を設置して、尿流し台６を装着した状態において、収納函体兼便座４の後面壁４６Ｂは、尿流し台６の底面６０Ｄの排便口８０と収納函体兼便座４の下面４０Ｄとの間に設置する蓄便容器９０（図１０（ａ）参照）を出し入れ可能な後面扉４６Ｂ’を有するのが好ましい。図９（ａ）のように、後面壁４６Ｂ自身が左壁４８Ｌまたは右壁４８Ｒと蝶番等で連結されて開閉するようにしてもよい。
【００４６】
左右壁４８Ｌ、４８Ｒの上端部に設けられた便座５０は、洋式トイレの便座の代わりとなるものであり、ゴムやウレタン等便座性のある材料で形成されるのが好ましいが、プラスチック等その他の材料で形成されてもよい。収納函体兼便座４の便座５０以外の部分は、簡易小尿器携帯支持体１と同様に、水に濡れない撥水性のある材料、例えばステンレス、撥水性のある木材、プラスチック等が好ましいが、これも特に限定されるものではない。
【００４７】
収納函体兼便座４の使用者は特に女性に限られるものではなく、老若男女を問わず利用することができる。そのため、使用者の体格によって、左右壁４８Ｌ、４８Ｒの間隔は１５ｃｍ〜３０ｃｍ、前面壁４６Ｆと後面壁４６Ｂの間隔は３０ｃｍ〜５０ｃｍ程度の範囲が好ましい。標準的な女性であれば、左右壁４８Ｌ、４８Ｒの間隔は２５ｃｍ前後、前面壁と後面壁の間隔は４０ｃｍ弱程度が好適である。使用者の体格により、上記サイズは適宜選択することができる。
【００４８】
図１１に示すように、前面壁４６Ｆに収納可能なハンドル７０を設けてもよい。ハンドル７０は、例えば、前面壁４６Ｆ中を上下に移動可能で、適当な位置で固定することができるものとする。ハンドル７０を上方に引出し固定すると、上面４０Ｕを上方に開いて便座５０に腰掛ける際、あるいは排便する際、手で体のバランスを取るのに有用である。また、収納函体兼便座４の左右壁４８Ｌ、４８Ｒの裾の部分は、図１１のように裾広がりにすると、収納函体兼便座４全体の安定性が増して好適である。
【００４９】
次に、収納函体兼便座４の使用方法について説明する。
【００５０】
まず、小尿のみ排出する場合は、収納函体兼便座４をベッド脇などの床に設置し、上面４０Ｕを十分に上方に開いて後面扉４６Ｂ’（又は後面壁４６Ｂ）を開き、開口した後面扉４６Ｂ’の前方に、図１に示す本発明の簡易小尿器携帯支持体１を載置する。簡易小尿器携帯支持体１の支持棒３２、３３から採尿器１０１の取っ手１１４を外し、収納函体兼便座４の後面扉４６Ｂ’の開口部を通して採尿器１０１を収納函体兼便座４内に取り入れる。採尿器１０１はホース３０１を介して、上記のように簡易小尿器携帯支持体１に取り付けた蓄尿容器２０１に連結されている。蓄尿容器２０１内部には、その安定性を保持するため鉛などの錘を予め入れておくのが好ましい。
【００５１】
次に使用者は、収納函体兼便座４内に取り入れた採尿器１０１の取っ手１１４を手で持ち、排尿する状態で収納函体兼便座４の上端部に設けられた便座５０に座り、排尿を行う。上述の通り、蓄尿容器２０１に溜まった小尿を捨てる場合は、ホース３０１が貫通したキャップ２１４を受尿口２１０から取り外して、蓄尿容器２０１のみをトイレに運ぶ事ができる（図４参照）。
【００５２】
なお、使用者が女性である場合は、図４に示す採尿器１０１の採尿口１１０は、男性用の採尿口１１０より開口部の面積が広い方が好適である。安心して排尿することができる。
【００５３】
一方、大便を排泄する場合は、上記実施例と同様に収納函体兼便座４の上面４０Ｕを上方に開いて尿流し台６を設置し、後面扉４６Ｂ’（又は後面壁４６Ｂ）を開放する。この開口を介して、尿流し台６の底面６０Ｄの排便口８０と収納函体兼便座４の下面４０Ｄとの間に蓄便容器９０を載置する。この際、前面壁４６Ｆに収納されたハンドル７０を上方に引き出して固定しておくのが便利である。収納函体兼便座４の使用者は、前面壁４６Ｆを前にして便座５０に座り、排便を行う。
【００５４】
小尿は尿流し面６０Ｄ’を流れて底面６０Ｄの排便口８０を通じて蓄便容器９０に溜められ、また、大便は略直接排便口８０を介して蓄便容器９０に排泄される。これら排泄物の溜まった蓄便容器９０は、再び後面扉４６Ｂ’の開口を介して収納函体兼便座４外に取り出され、内容物はしかるべき場所に廃棄される。
【００５５】
上記説明した本発明に係る収納函体兼便座４は、それ自体が便座となり得ると共に、図１２に示すように、簡易小尿器携帯支持体１を上述のようにコンパクト化し、採尿器１０１、蓄尿容器２０１およびティシュ入れ２００１等を一度に収納することができる。また、収納函体兼便座４、尿流し台６、採尿器１０１、蓄尿容器２０１等を掃除するための掃除用具やティッシュ箱を収納できるようにしてもよい。図１２の状態から上面４０Ｕを上方に開いて尿流し台を設置し、再度上面４０Ｕを閉止すると本発明に関する発明品を全て収納函体兼便座４に収納することができる。このため、上蓋４０Ｕや後面扉４６Ｂ’をフック等の公知の固定手段により固定し、例えば前面壁４６Ｆに取っ手を設けて、これをもって簡易小尿器携帯支持体１等を収納したまま収納函体兼便座４を持ち運ぶことができる。
【００５６】
なお、本発明に係る収納函体兼便座４は、図１３に示すように後面壁４６Ｂにカーテンレール支持棒４０１を固定し、カーテンレール支持棒４０１と上方に引出して固定したハンドル７０とを用いてカーテンレール４１０を取り付けることもできる。カーテンレール４１０をカーテンレール支持棒４０１及びハンドル７０に取付ける方法は特に限定されず、カーテンレール４１０をカーテンレール支持棒４０１、ハンドル７０に嵌め込む方法、カーテンレール４１０をカーテンレール支持棒４０１、ハンドル７０に取付ける取付具４１２をカーテンレール支持棒４０１、ハンドル７０に備える方法等が挙げられる。カーテンレール支持棒４０１は上下に伸縮可能とし、適当な位置で固定することができるものが好ましい。カーテンレール支持棒４０１は着脱可能にしてもよい。また、カーテンレール４１０の形状は特に限定されず、楕円状、四角形等適宜選択できる。持ち運びや保管をし易くするため、カーテンレール４１０は折り畳み可能とすることが好ましい。カーテンレール支持棒４０１、カーテンレール４１０の材料は特に限定されないが、木材、プラスチック等が挙げられる。カーテンレール４１０に取付けられたカーテンフック４１１にカーテンを吊設すれば、本発明に係る収納函体兼便座４を遮蔽できるため、人目を気にすることなく、本発明に係る収納函体兼便座４を利用することができる。
【００５７】
以上、本発明に係る簡易小尿器携帯支持体について説明したが、本発明は上記実施形態に限定されるものではない。便座はプラスチックやビニールなどで形成されるが、より座り心地を良くするためにゴムなどを素材とした便座シートを便座上に取り付けてもよい。また、本発明に係る収納函体兼便座の上蓋にティシュ箱を取り付けられるようにしてもよい。
【００５８】
その他、本発明は、その主旨を逸脱しない範囲で当業者の知識に基づき種々の改良、修正、変更を加えた態様で実施できるものである。
【産業上の利用可能性】
【００５９】
本発明に係る簡易小尿器携帯支持体及びこれを収納可能な収納函体兼便座は、益々増えつつあるお体のご不自由なご老人や、あるいは健康であっても車中等で便意を催した場合に、特に利用可能な簡易小尿器携帯支持体及び収納函体兼便座であり、収納函体兼便座に簡易小尿器携帯支持体及びその他の用具等を収納することにより容易に持ち運び可能である。
【符号の説明】
【００６０】
１：本発明に係る簡易小尿器携帯支持体
２：中空三角柱
４：本発明に係る収納函体兼便座
６：尿流し台
１０：長方形の板
１２（１２’）：１端
１４（１４’）：他端
１６（１６’）：第１の折り曲げ部
１８（１８’）：第２の折り曲げ部
２０：第１面
２２：第２面
２４：第３面
２６：突起状のストッパー
２８：ストッパー
３２、３３：支持棒
３４：Ｕ字型支持具
３６：Ｕ字型フック
４０Ｕ：上蓋
４０Ｄ：下面
４６Ｆ：前面壁
４６Ｂ：後面壁
４６Ｂ’：後面扉
４８Ｒ：右壁
４８Ｌ：左壁
５０：便座
５６Ｒ、５６Ｌ：設置手段（レール）
６０Ｄ：底面
６０Ｄ’：尿流し面
６６Ｆ：前面内壁
６６Ｂ：後面内壁
６８Ｒ：右内壁
６８Ｌ：左内壁
７０：ハンドル
７６Ｒ、７６Ｌ：被設置手段（レール受け）
８０：排便口
９０：蓄便容器
１０１：採尿器
１１０：採尿口
１１２：排尿口
１１４、２１２：取っ手
２０１：蓄尿容器
２１０：受尿口
２１４：キャップ
２１６：空気孔
３０１：ホース
１００１：簡易小尿器
２００１：ティッシュ入れ
４０１：カーテンレール支持棒
４１０：カーテンレール
４１１：カーテンフック
４１２：取付具
【図１】
2011200638.tif 000003
【図２】
2011200638.tif 000004
【図３】
2011200638.tif 000005
【図４】
2011200638.tif 000006
【図５】
2011200638.tif 000007
【図６】
2011200638.tif 000008
【図７】
2011200638.tif 000009
【図８】
2011200638.tif 000010
【図９】
2011200638.tif 000011
【図１０】
2011200638.tif 000012
【図１１】
2011200638.tif 000013
【図１２】
2011200638.tif 000014
【図１３】
2011200638.tif 000015